(57)【要約】【課題】    軒先垂木の側面に、アジャスタブルハンガーＢＯＸフット部を装着する方式では、垂木側面が丸太である場合や、隣接する垂木のピッチが狭い仕様の既存建造物の場合は、前記方式のフット部を、アンカー装具として装着する事が困難、又は、不能となる。【解決手段】    建造物のアンカー適合部材の任意部位にアジャスタブルチャンネルと呼称する連結固着装具を装着し、架設される梯子を支承するラダーレシーバーと呼称する装具の主要構成部材であるビームを、チャンネルの正面からスライド挿入し、チャンネルのアウトサイド、インサイドの両側板に、固着する事により建造物のアンカー部材と、ラダーレシーバーが連結固着され、連結固着装具の装着不能箇所は全て解消される。【選択図】  図３
2017186776.tif 000002
【特許請求の範囲】
【請求項１】
連結装具の軒先垂木小口部へ装着される部材面を、底板、底板に向かって左右両端末
の部材を、左側板、右側板として、左右二枚の側板を竪形に対向させ、底板へＵ字状に、連接固着された、アジャスタブルチャンネルと呼称する（以下チャンネルと略称）装具へ、軒先垂木のピッチ寸法より、垂木幅二本分程度の長さを加算した棒状の、左右両端末が、建造物の外周面より外側に装着出来るように軒先垂木先端部から持ち出され、且つ、前記チャンネルとの連結ができるようＵ字状に折曲加工された、ラダーレシーバ本体ビームと呼称する（以下ビームと略称）装具を、前記チャンネルの前面からスライド挿入し、前記チャンネルのアウトサイド側板のビーム挿入溝へ落し込み、コネクトステックと呼称（以下ステックと略称）する装具先端の螺状ボルト部を、チャンネルインサイド側板に、内外のナットで緊締する事により、軒先垂木小口部と、レシーバービームが、チャンネルを介して、固着一体化される事を特徴とする、ラダーレシーバーのチャンネル。
【請求項２】
チャンネルを軒先垂木小口部へ固着しただけでは、アンカー装具としての強度が不足する場合に、前記チャンネル底板の裏面に、垂木下端面へも装具を固着出来るフィンを、接合固着したボトムフィンチャンネルと呼称するチャンネルを補剛する装具により、軒先垂木小口面を、アンカー適合部材にする事が出来ることを特徴とする、請求項１に記載のラダーレシーバーのチャンネル。
【請求項３】
軒先垂木以外のアンカー適合部材に、チャンネルの固着が可能となるようチャンネル左右側板の外側に、フインが接合固着された、サイドフインチャンネルと呼称する装具で、アンカー適合部材の見付け面に、装着できる事を特徴とする、請求項１に記載のラダーレシーバーのチャンネル。
【発明の詳細な説明】
【技術分野】
【０００１】
この発明は、アジャスタブルチャンネルと呼称する（以下チャンネルと略称）装具を
建造物のアンカーに適合する部材に，左右一対で装着し、架設される梯子の上端部を支承するラダーレシーバーと呼称する（以下レシーバーと略称）装具の、主要構成部材である本体ビーム（以下ビームと略称）を、チャンネルのアウトサイド側板に装備されたビーム挿入溝へ、チャンネル正面からスライド挿入させ、ビーム端末部に装備された本体ビームエンドシリンダー（以下シリンダーと略称）から、連結固着補助装具のコネクトステック（以下ステックと略称）を引出し、インサイド側板のステックボルト部挿入ピットヘ挿入し、チャンネル内外に装備されたナットで、インサイド側板にステックが緊締される事により、建造物のアンカー部材と、レシーバーが連結固着され、架設される梯子の保安が、確保できる装具の提供をするものである。
【背景技術】
【０００２】
従来のレシバー連結固着装具として、アジャスタブルＢＯＸのフット部を、垂木側面に装着し、レシバーと軒先垂木を連結固着する事が出来るものがある。（特許文献３参照）
【先行技術文献】
【特許文献】
【０００３】
【特許文献１】特許第４４８４９５４号
【特許文献２】特許第４４９１３６１号
【特許文献３】特許第５８３５７７９号
【発明の概要】
【発明が解決しようとする課題】
【０００４】
森林資源の豊富な山間部の家屋や、昭和初期以前の古い仕様による建造物に見られる垂木に小丸太太鼓落し材を、屋根防水材に杉檜皮材を、野地板材に割竹縄絡み材を、使用したような建造物は、垂木の側面が平面ではなく丸太状を呈しており、又、隣接する垂木のピッチが狭い、既設の建造物の場合、現場での施工に使用する工具の取扱いが困難であるため軒先垂木の側面には、前記連結装具のフット部を装着する事が困難、又は、不能となる場合があり、連結固着装具の装着不能箇所が生ずる問題点を解消する事が出来る装具が必要となる。
【課題を解決するための手段】
【０００５】
課題を解決するための手段を、左側垂木の小口面へ装着する装具を例として、図面を併用して記述する。
（右側垂木へ装着する装具、及び、垂木小口部以外のアンカー部材見付面へ装着する装具の例は、左側垂木小口面への装着例と類似するため記述を省略する）
【０００６】
解決手段１  建造物のアンカー適合部材と、レシーバーを連結固着するアジャスタブルチャャンネルと呼称する（以下チャンネルと略称）連結固着装具のアンカー部材に固着する部材面を、チャンネルの底板（図１〜図６−２−Ｃ−Ｂ）、チャンネル底板に向かって左側に固着される部材を、アウトサイド側板（図１〜図４、図６−２−Ｃ−Ｏ）、チャンネル底板に向かって右側に固着される部材を、インサイド側板（図１〜図３、図５、図６−２−Ｃ−Ｉ）とし、左右の側板を竪型に対向させ、前記チャンネル底板に左右の両側板を、Ｕ字状に連接固着したチャンネルの底板（図１〜図６−２−Ｃ−Ｂ）を、軒先垂木の小口部へ固着（図１、図４−２−Ｃ−Ｄ）し、アウトサイド側板に装備されたレシーバー本体ビーム（以下ビームと略称）挿入溝（図３−２−Ｃ−Ｄ）へ、チャンネル正面から前記ビーム（図１、図２、図４−１−１）を、スライド挿入して落し込み、前記ビーム端末部のシリンダーに内蔵されているコネクトステック（以下ステックと略称）を引出し、前記ステックのボルト部（図２−１−３−Ｂ）を、インサイド側板（図１〜図３、図５、図６−２−Ｃ−Ｉ）の、チャンネル内外に装備されたナットで、インサイド側板に緊締固着する事により、軒先垂木と、ビームが連結固着され、、垂木小口部に装着する事が出来る連結固着装具となる。
【０００７】
解決手段２  軒先垂木をアンカー部材として、垂木小口面へチャンネルの底板を固着しただけでは、アンカー装具としての強度が不足する場合に、チャンネル底板の裏面に、垂木下端にチャンネルを固着出来るフィン（図４、図５−２−Ｃ−Ｆ）を、補剛材として連接固着した、ボトムフインアジャスタブルチャンネルと呼称する（以下ボトムフィンチャンネルと略称）連結固着装具であり、チャンネルの底板を垂木小口部へ、前記フインを垂木下端部へ、大釘打込み、又は、長足ビスの捻込みにより、チャンネルを固着する事で、垂木小口部へのチャンネルの固着のみではアンカー装具としての強度が不足する場合でも、軒先垂木を、アンカー適合部材とする事が可能となる。
【０００８】
解決手段３  チャンネルのインサイド側板（図３、図６−２−Ｃ−Ｉ）、アウトサイド側板（図３、図６−２−Ｃ−Ｏ）の両側板の外側へ、アウトサイド側フイン（図６−２−Ｃ−Ｓ−Ｂ−Ｌ）と、インサイド側（図６−２−Ｃ−Ｓ−Ｂ−Ｒ）フインを固着した、サイドフィンアジャスタブルチャンネルと呼称する（以下サイドフィンチャンネルと略称）チャンネルを、垂木小口部を除く、アンカー部材の見付け面（例えば鼻隠し、破風）に、装着する事ができ、建造物のアンカー部材と、レシーバーのビームが、チャンネル底板と、前記の両サイドフインで、アンカー部材に固着されたチャンネルに、連結固着する事が出来る装具である。
【発明の効果】
【０００９】
この発明により得られる効果について、図面を併用して記述する。
【００１０】
効果１  レシーバー装着による効果
軒先垂木、又は、建造物のアンカーに適合する部材の任意部位に、左右一対に装着されたチャンネル（図１〜図６−１−２−Ｃ）へ、ビーム（図１、図４、図５−１−１）を、チャンネル正面からスライド挿入し、アウトサイド側板のビーム挿入溝（図１〜図４−２−Ｃ−Ｄ）へ落し込み、アウトサイド側板のピース挿入ピット（図２〜図４−２−Ｃ−Ｋ）へのピース（図２、図４―２−Ｃ−ＫＰ）挿入で、ビームをアウトサイド側板（図１〜図４−２−Ｃ−Ｏ）に固定、螺状ボルト加工されたステックの端末部（図１、図２−２−１−３−Ｂ）をシリンダー（図２−１−Ｅ）から引出し、インサイド側板のボルト部挿入ピット（図２、図６−２−Ｃ−Ｐ）へ挿入し、インサイド側板（図１〜図３、図５、図６−２−Ｃ―Ｉ）の内外に装備されたナット（図２−１−３−Ｎ、図２−１−３ＷＮ）で、ステック本体をインサイド側板（図１〜図３、図５、図６−２−Ｃ−Ｉ）へ、緊締する事により、チャンネルを介し、ビームと軒先垂木、又は、建造物のアンカー適合部材が、同時に連結固着され、,架設梯子を支承するレシーバーの保安効果が得られる。
【００１１】
効果２  ビームの変位防止効果
軒先垂木、又は、建造物アンカー適合部材の任意箇所へ、左右一対で、装着されたチャンネルのアウトサイド側板（図１〜図４、図６−２−Ｃ−Ｏ）に、装備された角形のビーム挿入溝（図３、図６−２−Ｃ−Ｄ）へ、角形のビーム端末部を、チャンネル正面からスライド挿入させて落し込み、アウトサイド側板に切込まれたピース挿入ピット（図２〜図４−２−Ｃ−Ｋ）ヘの、ピース挿入（図２〜図４−２−Ｃ−ＫＰ）により、ビームの上面が押圧され、ビームの角形部がアウトサイド側板の角形溝に固定される事により、ビームの回転変位が防止され、レシーバーの回転変位が防止され、シリンダー（図２−１−Ｅ）に内蔵されたステック（図２−１−３−Ｓ）を引出し、螺状ボルト加工されたステック先端部（図２、図５−１−３−Ｂ）を、内部ナット（図２、−１−３−Ｎ）と外部ナット（図２−１−３−ＷＮ）で、インサイド側板（図１〜図３、図５−２−Ｃ−Ｉ）に緊締する事により、ビームの、左右方向への移動変位が防止出来るため、レシーバー全体が安定的に連結固着される。
【００１２】
効果３  施工能率向上効果
ビーム（図１−１−１）を、左右一対で装着されたチャンネル（図１−２−Ｃ）の正面から、スライド挿入し、アウトサイド側板の角形ビーム挿入溝（図１へ図４−２−Ｃ−Ｄ）へ落し込み、アウトサイド側板のピース挿入ピット（図２〜図４−２−Ｃ−Ｋ）への、ピース（図２、図３−２−Ｃ−ＫＰ）挿入で、アウトサイド側板（図２〜図４−２−Ｃ−Ｏ）の角形溝にビームの角形部分を固定し、シリンダー（図２−１−１−Ｅ）からステック（図２−１−３−Ｓ）を引出し、螺状ボルト加工された端末部（図２、図５−１−２−Ｂ）を、インサイド側板（図１〜図３、図５−２−Ｃ−Ｉ）に、内外のナットで、緊締固着する事により、チャンネルを介し、建造物のアンカー部材と、ビームを同時に連結固着する事が出来る簡単な施工方式であるため、レシーバー装着時の施工効率の向上効果が得られる。
【図面の簡単な説明】
【００１３】
【図１】チャンネルを介し、レシーバーと軒先垂木が連結固されたイメージ斜視図
【図２】左側垂木に装着するチャンネル本体部の正立面（右側チャンネル図記述略）
【図３】左側垂木に固着されるチャンネルのイメージ斜視図（右側イメージ図記述略）
【図４】前記図１の、Ａ〜Ａ`立断面イメージ図（右側イメージ図記述略）
【図５】前記図１の、Ｂ〜Ｂ`立断面イメージ図（右側立断面イメージ図記省略）
【図６】サイドフィン装着チャンネルのイメージ斜視図（右側イメージ図記述略）
【発明を実施するための形態】
【００１４】
この発明による実施の形態を、図面を併用し、主たる用語の定義と、それぞれの部材が保有すろ機能を、向かって左側の垂木小口部へ装着する装具を装着例として記述する。
（向かって右側垂木への装着、及び、垂木以外のアンカー適合部材見付面への装着例は、左側垂木装着例と、類似しているため記述を省略する）
【００１５】
主たる用語の定義１  ラダーレシーバー
架設される梯子の上端を直接支承する水平に装着される装具で、左右の端末部が、Ｕ字状に折り曲げ加工されたビーム（図１、図２、図４、図５−１−１）と略称する棒状の細長材を、軒先垂木小口部、又は、アンカー適合部材に装着されたチャンネル（図１〜図５−２−Ｃ）と略称する連結固着装具へ正面からスライド挿入し、ステックと略称する連結固着補助装具により、前記チャンネルに、ボルト、ナットで前記ビームを緊締する事で構成部材の全てが連結固着され、架設梯子の保安を確保する事ができる装具の全体を指す。
【００１６】
主たる用語の定義２  ビーム
レシーバーを構成する部材のうち左右の両端末部が、Ｕ字状に折曲げ加工され、且つ、最端末の小口部に、連結固着補助装具のステック（図２−１−３−Ｓ）を内蔵する事ができる角形のシリンダー（図２−１−１−Ｅ）を装備した、棒状を呈するレシーバーの主要部材（図１、図２、図４、図５−１−１）を指す。
【００１７】
主たる用語の定義３  チャンネル
ビーム（図１、図２、図４、図５−１−１）を垂木軒先小口部へ連結固着する装具の本体で、軒先に向かい左側の垂木軒先を、建造物のアンカー部材とし、その垂木小口面に密着する面をチャンネルの底板（図１〜図６−２−Ｃ−Ｂ）、チャンネル底板に向かい左側のチャンネル構成部材をアウトサイド側板（図１〜図４−２−Ｃ−Ｏ）、チャンネル底板に向かい右側のチャンネル構成部材をインサイド側板（図１〜図３、図５−２−Ｃ−Ｉ）として、チャンネル底板に、左右両側板を竪型に対向させ、Ｕ字状に連接固着した、連結固着装具の本体を指す。
【００１８】
主たる用語の定義４  ボトムフィンチャンネル
チャンネル底板を、垂木小口部へ固着しただけでは、アンカー部材としての強度が確保出来ない場合に、チャンネル底板裏面に、チャンネルを垂木下端へも固着できるフィンが前記底板裏面の下部に連接固着されたチャンネル（図４、図５−２−Ｃ−Ｆ）を指す。
【００１９】
主たる用語の定義５  サイドフインチャンネル
垂木以外の部位で、アンカー適合部材の見付面に装着するチャンネル補剛部材として、アウトサイド側板左面（図６−２−Ｃ−Ｓ−Ｌ）と、インサイド側板右面（図６−２−Ｃ−Ｓ−Ｒ）の、チャンネル底板に接する両側板外側に、チャンネルを補剛するフィンが連接固着されたアンカー部材の見付面に装着出来る装具を指す。
【００２０】
主たる用語の定義６  エンドシリンダー（以下シリンダーと略称）
ビーム（図１、図２、図４、図５−１−１）の左右両端末部の折り曲げ加工された小口部に、ステック本体（図２、図４−１−３−Ｓ）が内蔵出来るように装備された、角形の中空部分を指す。
【００２１】
主たる用語の定義７  ステック
シリンダー（図２−１−１−Ｅ）内に角形細長部材の大半が収納された連結固着補助部材（図２−１−３−Ｓ）で、シリンダーから露出したステックの先端部分に、螺状ボルト加工がされ（図２−１−３−Ｂ）、インサイド側板のステックボルト挿入ピット、（図３−２−Ｃ−Ｐ）へ、挿入されたボルト部を、内部ナット（図２−１−３−Ｎ）と，外部ナット（図２−１−３−ＷＮ）で、インサイド側板を挟み付けて、緊締することにより、    チャンネル（図１〜図６−２−Ｃ）を介して、建造物のアンカー適合部材と、ビーム（図１、図２、図４、図５−１−１）を連結固着するための連結固着補助装具を指す。
【００２２】
主たる用語の定義８  ビーム押さえピース（以下ピースと略称）
アウトサイド側板に装備された角形ビーム挿入溝（図〜図４−２−Ｃ−Ｄ）ヘ、挿入されたビーム（図１、図２、図４−１−１）の浮上を、防止するアウトサイド側板に、
切込まれたピット（図２、図３、図４−２−Ｃ−Ｋ）へ挿入し、ビーム（図１、図２、図４−１−１）の上面を押圧する事により、アウトサイド側板の角形のビーム挿入溝に、ビームの角形部を固定させる、アウトサイド側板に付属する、小片部材（図２、図４−２−Ｃ−ＫＰ）の連結固着補助装具を指す。
【００２３】
主たる用語の定義９  内部ナット
螺状ボルト加工がされたステック先端部（図２−１−３−Ｂ）をエンドシリンダー（図２−１−１−Ｅ）から引出し、インサイド側板に装備された丸形ピット（図３、図６−２−Ｃ−Ｐ）へ、挿入されたステックを、インサイド側板（に図１〜図３、図５−Ｃ−Ｉ）に緊締するため、ステックボルト部のインサイド側板内面側に装備されるナット（図２―１−３−Ｎ）を指す。
【００２４】
主たる用語の定義１０  外部ナット
ステックの螺状ボルト（図２−１−３−Ｂ）に付属し、インサイド側板（図１〜図３、図５−２−Ｉ）の外側に装備（図２−１−３−ＷＮ）され、内部ナット（図２−１−３−Ｎ）と呼応して、前記ステック（図２−１−３−Ｓ）をインサイド側板に緊締するためのナットを指す。
【００２５】
この発明による実施の形態を図面を併用して記述する。
【００２６】
実施の形態１  装具装着部位の確認と適合装具の選択。
敷地、建造物の平立面の現況から、梯子架設可能部位と、建造物のアンカー部材の適否を確認し、アンカー部材に適合する装具を選択する。
【００２７】
実施の形態２  チャンネルの装着    
、    装着部位の確認に基づき、チャンネル（図２、図３）ボトムフィンチャンネル（図４、図５）サイドフィンチャンネル（図６）の装着方式のなかから、装着部位に適合する型式のチャンネルを確定し、左右一対として、所定の部位へ大釘打込み、又は、長足ビス捻込みによりチャンネルを固着する。
【００２８】
実施の形態３  ビームの挿入と連結固着
左右一対に装着されたチャンネルへ、正面からビーム（図１、図２、図４、図５−１−１）をスライド挿入し、アウトサイド側板のビーム挿入溝（図３−２−Ｃ−Ｄ）へ落し込み、ピース挿入溝（図２、図３−２−Ｃ−Ｋ）へのピース（図２、図３−２−Ｃ−ＫＰ）挿入で前記ビームを、ビーム挿入溝に固定し、シリンダー（図２−１−１−Ｅ）からステック（図２−１−３−Ｓ）を引出し、螺状ボルトの加工がされた先端部をインサイド側板のボルト挿入ピット（図２、図６−２−Ｃ−Ｐ）へ挿入、内部ナット（図２−１−３−Ｎ）と外部ナット（図２−１−３−ＷＮ）で、ステック（図２−１−３−Ｓ）を、インサイド側板（図１〜図３、図５、図６−２−Ｃ−Ｉ）に緊締する事で内外ナットがインサイド側板を挟み付け固着し、レシーバーと、チャンネルが連結固着される。
【符号の説明】
【００２９】
１−１              ラダーレシーバー本体ビーム（以下ビームと略称）
１−１−Ｅ          本体ビームエンドシリンダー
１−２              ラダーストッパー
１−３−Ｂ          コネクトステックボルト加工部位
１−３−Ｎ          ステック付属内部ナット
１−３−Ｓ          コネクトステック本体  
１−３−ＷＮ        ステック付属外部ナット
１−４              ストッパー補強プレート
１−５              セーフティフック挿入ピット
２−Ｃ              アジャスタブルチャンネル（以下チャンネルと略称）
２−Ｃ−Ｂ          チャンネル底板
２−Ｃ−Ｄ          本体ビーム挿入溝
２−Ｃ−Ｆ          チャンネルボトムフィン（以下ボトムフィンと略称）
２−Ｃ−ＦＴ        ボトムフィン固着釘、又は、ビス
２−Ｃ−Ｉ          チャンネルインサイド側板
２−Ｃ−Ｋ          本体ビーム押さえピース挿入ピット
２−Ｃ−ＫＰ        本体ビーム押さえピース
２−Ｃ−Ｏ          チャンネルアウトサイド側板
２−Ｃ−Ｐ          ステックボルト部挿入丸形ピット
２−Ｃ−Ｓ          チャンネル底板固着釘、又は、長足ビス挿入ピット
２−Ｃ−Ｓ−Ｂ      チャンネルサイドフィン（以下サイドフインと略称）
２−Ｃ−Ｓ−Ｂ−Ｌ  アウトサイド側フィン
２−Ｃ−Ｓ−Ｂ−Ｒ  インサイド側フイン
２−Ｃ−Ｓ−Ｐ      サイドフイン固着ビス挿入ピット
Ｋ                  瓦
ＫＳ                瓦引っ掛け桟
Ｎ                  野地板
Ｔ                  垂木
Ｗ                  戸樋
Ｚ                  瓦座
【図１】
2017186776.tif 000003
【図２】
2017186776.tif 000004
【図３】
2017186776.tif 000005
【図４】
2017186776.tif 000006
【図５】
2017186776.tif 000007
【図６】
2017186776.tif 000008